(57)【要約】【課題】病院生活などで邪魔にならず、留置針に衝撃が伝わらないようにする留置針保護カバーを提供する。【解決手段】円筒形状の側面の一部からなっている本体部７には、腕３に取り付けるため医療用テープ９が上から貼り付けられる。この本体部７の両端に設けられる端面部１１には管孔１３が形成され、留置針５に連結される点滴管１５が通される。本体部７は蒸れ防止の孔１７を有する。本体部７の筒形状の両端が斜めにカットされることで筒形状の中央部分の長さより縁の長さが長く形成され、重ねて保管しやすい。端面部１１の縁は前記腕３にフィットしやすいように湾曲しており、腕３に接触する面積を大きくするフランジ部１９が一体的に形成される。【選択図】図1
2006158730.tif 000002
【特許請求の範囲】
【請求項１】
体の一部に使用された状態の留置針に外部からの衝撃を伝えないようにするためのカバーであって、筒形状の側面の一部からなっており体に取り付けるため医療用テープが上から貼り付けられる本体部と、この本体部の前記筒形状の両端に一体的に設けられる端面部と、この端面部に形成され前記留置針に連結される点滴管を通す管孔と、を有することを特徴とする留置針保護カバー。
【請求項２】
前記体の一部は腕であり、前記筒形状は円筒形状であり、前記本体部は蒸れ防止の孔を有し、前記本体部の前記筒形状の両端が斜めにカットされることで前記筒形状の中央部分の長さより縁の長さが長く形成され、前記端面部の縁は前記腕にフィットしやすいように湾曲しており、前記本体部又は前記端面部の縁には、前記腕に接触する面積を大きくするフランジ部が一体的に形成されることを特徴とする請求項１に記載の留置針保護カバー。
【発明の詳細な説明】
【技術分野】
【０００１】
この発明は、点滴管が連結される留置針へ外部から衝撃が伝わらないようにするためのカバーの構造に関する。
【背景技術】
【０００２】
医療機関で点滴の際に使用される留置針は、使用中に外部から衝撃が伝わると大変に痛い。特に、入院して夜寝るときなどは、寝返りをした時などにぶつけてしまうのではないかと不安で安眠できないということもある。このため、何日も留置針をつけたままにする場合には精神的に大きな苦痛を抱えなければならず、ただでさえ闘病のために弱っている精神には大きな負担である。
【０００３】
下記の特許文献１には、腕に使用された留置針を上から覆うカバーをマジックテープ（登録商標）つきのベルトで取り付け、留置針を保護する技術が開示される。また、特許文献２には手の甲に使用された留置針を、手の甲を覆う袋状のカバーで離脱しないようにする技術が開示される。    
【特許文献１】特開平11-76401
【特許文献２】特開2003-339859
【発明の開示】
【発明が解決しようとする課題】
【０００４】
しかしながら、前記特許文献１の技術はベルトを用いるので大がかりなものになり病院生活などで邪魔になり不便である。また、前記特許文献２は、留置針の離脱防止には役立っても、袋状のカバーを通して衝撃は容易に伝わるので衝撃防止にはならない。
この発明は、以上の問題点を解決するために、病院生活などで邪魔にならず、留置針に衝撃が伝わらないようにするカバーを提供することを目的とする。
【課題を解決するための手段】
【０００５】
以上の課題を解決するために、第一発明は、体の一部に使用された状態の留置針に外部からの衝撃を伝えないようにするためのカバーであって、筒形状の側面の一部からなっており体に取り付けるため医療用テープが上から貼り付けられる本体部と、この本体部の前記筒形状の両端に一体的に設けられる端面部と、この端面部に形成され前記留置針に連結される点滴管を通す管孔と、を有することを特徴とする留置針保護カバーである。
【０００６】
第二発明は、さらに、前記体の一部は腕であり、前記筒形状は円筒形状であり、前記本体部は蒸れ防止の孔を有し、前記本体部の前記筒形状の両端が斜めにカットされることで前記筒形状の中央部分の長さより縁の長さが長く形成され、前記端面部の縁は前記腕にフィットしやすいように湾曲しており、前記本体部又は前記端面部の縁には、前記腕に接触する面積を大きくするフランジ部が一体的に形成されることを特徴とする留置針保護カバーである。
【発明の効果】
【０００７】
第一、又は第二発明によれば、体の一部に使用された状態の留置針の上から留置針保護カバーを被せ、留置針保護カバーを構成する本体部の上から医療用テープを体の一部へ貼り付けて、留置針保護カバーを取り付けることで、衝撃が伝わらないようにできる。従来のようなマジックテープ（登録商標）つきのベルトなどを使用しないので、病院生活などで邪魔にならない。本体部の両端に設けられる端面部に形成された管孔に、留置針に連結される点滴管を通すことで、点滴管を押さえ込み、留置針や点滴管の離脱をより防止できる。
【０００８】
第二発明によれば、さらに、本体部の筒形状は円筒形状であることから、外部からの衝撃に対し、より強度を高めることができる。また、本体部は蒸れ防止の孔を有することで、長期間でも快適に使用できる。さらに、本体部の筒形状の両端が斜めにカットされることで筒形状の中央部分の長さより縁の長さが長く形成されることで、多数の留置針保護カバーを重ねてコンパクトに保管でき、保管スペースを小さくできる。また、使用される体の一部が腕である場合に、端面部の縁は湾曲していることで、腕にフィットしやすい。さらに、本体部又は端面部の縁には、体の一部に接触する面積を大きくするフランジ部が一体的に形成されるので、長期間の使用をしても痛くなく、跡も残りにくい。
【発明を実施するための最良の形態】
【０００９】
この発明の実施形態を、図１〜図３に示す。
この実施形態に係る留置針保護カバー１は、腕３に使用された状態の留置針５に外部からの衝撃を伝えないようにするためのカバーである。このカバーの本体部７は、円筒形状の側面の一部、すなわち円筒形状を直径方向にカットした如き概略半分からなり、おおよそかまぼこ型といえる形状を有する。
【００１０】
この本体部７に医療用テープ９が上から円周方向へ貼り付けられ腕３に取り付けられる。この本体部７の円筒形状の両端に、この端面を覆うように一体的に端面部１１が設けられる。この端面部１１の腕３に接する位置には、半円形の管孔１３が形成され、留置針５に連結される点滴管１５が通される。
【００１１】
本体部７は蒸れ防止のために複数の孔１７を有する。これらの孔１７は、丸孔で、貼り付けられる医療用テープ９の邪魔にならないように、かまぼこ型の周方向に並んでいる。
【００１２】
本体部７の円筒形状の両端が斜めにカットされることで、側面図において、円筒形状の中央部分の長さより縁の長さが長く形成され、略台形の外観を有する。
端面部１１の縁は腕３にフィットしやすいように凹んで湾曲している。この湾曲した縁には、腕３に接触する面積を大きくするフランジ部１９が、前記管孔１３以外の部分に、一体的に形成されている。
【００１３】
「実施形態の効果」
この実施形態によれば、以下の作用効果を有する。
（１）腕３に刺され使用された状態の留置針５の上から、留置針保護カバー１を被せ、この留置針保護カバー１の本体部７の上から周方向へ医療用テープ９を体腕に貼り付けて、留置針保護カバー１を取り付ける。これにより、誤って、留置針保護カバー１を被せた腕３をものにぶつけても、ぶつけた衝撃は留置針５へ伝わることを抑止できる。
【００１４】
（２）従来のようなマジックテープ（登録商標）つきのベルトなどを使用しないで済むので、病院生活などで邪魔にならない。
（３）本体部７の両端に設けられる端面部１１に形成された管孔１３に、留置針５に連結される点滴管１５を通すことで、管孔１３が点滴管１５を押さえ込み、留置針５や点滴管１５の離脱をより防止できる。
【００１５】
（４）本体部７の筒形状は円筒形状であることから、外部からの衝撃に対し、より強度を高めることができる。
（５）本体部７は蒸れ防止の孔１７を有することで、長期間でも、皮膚が蒸れずに、快適に使用できる。
（６）本体部７の円筒形状の両端が斜めにカットされることで筒形状の中央部分の長さより縁の長さが長く形成され、略台形となり、よって多数の留置針保護カバー１を重ねてコンパクトに保管でき、保管スペースを小さくできる。
【００１６】
（７）端面部１１の縁は湾曲していることで、腕３にフィットしやすい。
（８）端面部１１の縁には、腕３に接触する面積を大きくするフランジ部１９が一体的に形成されるので、長期間の使用をしても痛くなく、腕３に跡も残りにくい。
【００１７】
「他の実施形態」
以上の実施形態では、留置針５を使用する体の一部は腕３であったが、他の実施形態では、体の他の部分でもかまわない。特に、手の甲に使用する場合には、図４に示すように、本体部７の一端を端面部１１とともに、周方向にハサミ２１などでカットし(図４（Ｂ）)、このカットした部分を平らにして手の甲へ密着させ、医療用テープ９で取り付ける(図４（Ａ）)。
【００１８】
以上の実施形態では、本体部７の筒形状は円筒形状であったが、他の実施形態では、三角筒形状、四角筒形状、五角筒形状などの多角筒形状であってもよい。
以上の実施形態では、本体部７の蒸れ防止の孔１７は、丸孔で本体部７のかまぼこ型の周方向に並んでいたが、他の実施形態では、スリット型などの他の形状の孔１７でもかまわない。また、周方向だけではなく、長手方向へも並んで配置されてもかまわない。
【００１９】
以上の実施形態では、フランジ部１９は端面部１１の縁に設けられるものであったが、他の実施形態では、本体部７の縁に、設けるものでもかまわない。
【図面の簡単な説明】
【００２０】
【図１】（Ａ）は、この発明の一実施形態を示す使用状態図            （Ｂ）は、（Ａ）の取付作業図である。
【図２】図１（Ａ）の平面図である。
【図３】（Ａ）は、図１（Ａ）の要部拡大斜視図            （Ｂ）は、（Ａ）の側面図            （Ｃ）は、（Ａ）の端面図である。
【図４】（Ａ）は、この発明の他の実施形態を示す使用状態図            （Ｂ）は、（Ａ）の取付作業図である。
【符号の説明】
【００２１】
１…留置針保護カバー、３…腕、５…留置針、７…本体部、９…医療用テープ、１１…端面部、１３…管孔、１５…点滴管、１７…孔、１９…フランジ部。
【図１】
2006158730.tif 000003
【図２】
2006158730.tif 000004
【図３】
2006158730.tif 000005
【図４】
2006158730.tif 000006